(57)【要約】【課題】使用環境温度に左右されにくく、把持するユーザーに対して違和感を与えにくくすることができる。【解決手段】ハンドル部材１０は、ユーザーが把持しうる部分を樹脂で形成したことにより、ハンドル部材１０が使用環境温度の影響を受けにくくすることができる。これにより、ユーザーがハンドル部材１０を把持したときに、ユーザーに違和感を与えることを軽減することができる。ハンドル部材１０は、ユーザーが把持しうる部分以外の部分に金属を配したことにより、曲げ強度を向上することができる。【選択図】図１０
2012226661.tif 000002
【特許請求の範囲】
【請求項１】
電子機器に配置され、ユーザーにより把持可能な把持装置であって、
少なくともユーザーにより把持可能な把持部と前記把持部の内部に配されているフレーム部とが一体的に結合された筐体を備え、
前記把持部はエラストマー樹脂で形成され、フレーム部は金属で形成されている、把持装置。
【請求項２】
前記筐体内に配され、棒状の筆記部材を保持可能な筆記部材保持部を備えた、請求項１記載の把持装置。
【請求項３】
前記筆記部材保持部は、
前記筆記部材の一方の円筒面を支持する少なくとも一つの第１の支持部と、
前記筆致部材の他方の円筒面を支持する少なくとも二つの第２の支持部とを備えた、請求項２記載の把持装置。
【請求項４】
前記第１の支持部及び前記第２の支持部のうち少なくともいずれか一方は、弾性変形可能な材料で形成されている、請求項３記載の把持装置。
【請求項５】
請求項１〜４のうちいずれか一つの記載の把持装置を備えた、電子機器。
【発明の詳細な説明】
【技術分野】
【０００１】
本願は、ユーザーが把持可能な把持装置に関する。また、本願は、把持装置を備えた電子機器に関する。
【背景技術】
【０００２】
近年、ノート型パーソナルコンピューター等の携帯機器は、ユーザーが容易に運搬可能なようにハンドルを備えているものが登場しつつある。
【０００３】
特許文献１が開示するポータブル・コンピュータ・フィールド・キットのパッケージング構造は、標準的なキャリング・ケース中にポータブル・コンピュータ・タブレットとプリンタを支持する。４角形状フレームは、コンピュータ・タブレットとプリンタを収納する第１と第２の区画を含む。第１の区画は、コンピュータのピン・コネクタと係合する摺動型リセプタクルを支持するリセプタクル・アセンブリを含む。フレーム上のＩ／Ｏボックスは、リセプタクルを介して、外部のコンピュータと接続する。特許文献１は、オフィイス環境を提供するドッキング・ステーションも開示している。
【先行技術文献】
【特許文献】
【０００４】
【特許文献１】特開平８−８７３５１号公報
【発明の概要】
【発明が解決しようとする課題】
【０００５】
特許文献１が開示しているようなコンピュータ・タブレットに備わるハンドルは、コンピュータ・タブレットの重量に耐えうるとともに、ユーザーがハンドルを把持してコンピュータ・タブレットを運搬する際に加わる振動に耐えうることを想定して、金属等で形成されていることが多い。
【０００６】
しかしながら、ハンドルを金属で形成した場合、ハンドルを備えたコンピュータ・タブレットの使用環境温度に応じてハンドルの表面温度が大きく変化する。例えば、ハンドルを備えたコンピュータ・タブレットを低温環境で使用した場合、ハンドルの表面が低温になり、ハンドルを把持するユーザーに違和感を与えてしまう可能性がある。
【課題を解決するための手段】
【０００７】
本願に開示する把持装置は、電子機器に配置され、ユーザーにより把持可能な把持装置であって、少なくともユーザーにより把持可能な把持部と前記把持部の内部に配されているフレーム部とが一体的に結合された筐体を備え、前記把持部はエラストマー樹脂で形成され、フレーム部は金属で形成されている。
【発明の効果】
【０００８】
本願の開示によれば、使用環境温度に左右されにくく、把持するユーザーに対して違和感を与えにくくすることができる。
【０００９】
また、本願に開示する把持装置は、棒状筆記部材を収納可能な構成を備えたことにより、電子機器に棒状筆記部材を収納するスペースを確保しなくてよいため、電子機器を小型化することができる。
【図面の簡単な説明】
【００１０】
【図１】ノートパソコンの斜視図
【図２】実施の形態１にかかる第１のカバー部材の平面図
【図３】実施の形態１にかかる第２のカバー部材の平面図
【図４】実施の形態２にかかる第１の筐体の平面図
【図５】実施の形態２にかかる第１の筐体の平面図
【図６】実施の形態２にかかるハンドル部材の分解斜視図
【図７】実施の形態２にかかる第１のカバー部材の平面図
【図８】実施の形態２にかかる第２のカバー部材の平面図
【図９】ペン支持部の部分斜視図
【図１０】スタイラスペンを保持したハンドル部材の平面図
【図１１】スタイラスペンを保持したハンドル部材の側面図
【発明を実施するための形態】
【００１１】
（実施の形態１）
〔１．電子機器の構成〕
図１は、本実施の形態にかかるノートパソコンの外観を示す斜視図である。図１に示すノートパソコンは、電子機器の一例である。本実施の形態では、電子機器の一例としてノートパソコンを挙げたが、少なくともユーザーが把持可能なハンドルを備えた機器であればよい。電子機器は、ノートパソコンの他、例えばタブレット型パソコン等であってもよい。
【００１２】
図１に示すように、ノートパソコンは、第１の筐体１と第２の筐体２とを備えている。第１の筐体１は、各種電気素子が実装された回路基板や、ハードディスクドライブ等の記憶媒体を内蔵している。第２の筐体２は、ディスプレイパネル４を備えている。ディスプレイパネル４は、例えば液晶ディスプレイパネルで実現することができる。第１の筐体１と第２の筐体２とは、ヒンジ部３によって互いに回動自在に支持されている。ヒンジ部３は、第１の筐体１と第２の筐体２とを矢印ＡまたはＢに示す方向へ回動自在に支持する回動軸を備えている。第１の筐体１の上面１ａには、キーボード５とポインティングデバイス６とが配されている。第１の筐体１の前面１ｂには、ハンドル部材１０が配されている。
【００１３】
ハンドル部材１０は、支持部材１１及び１２によって第１の筐体１に支持されている。ハンドル部材１０は、図１に示す収納位置から矢印Ｃに示す方向へ変位可能であるとともに、第１の筐体１から突出した位置から矢印Ｄに示す方向へ変位可能である。
【００１４】
〔２．ハンドル部材１０の構成〕
図１に示すハンドル部材１０は、第１のカバー部材１４と第２のカバー部材１５とを備え、両者をネジで螺結して構成されている。
【００１５】
図２は、実施の形態１にかかる第１のカバー部材１４の凹部１４ｚ側の平面図である。第１のカバー部材１４は、樹脂と金属による二色成形により形成されている。図２において、ドットハッチングを付している部分が樹脂で形成された部分であり、ドットハッチングを付していない部分が金属で形成された部分である。第１のカバー部材１４は、ユーザーがハンドル部材１０を把持した際に、少なくともユーザーの手が接する部分を樹脂で形成している。本実施の形態では、一例として、第１のカバー部材１４の上面１４ｗ、下面１４ｘ、前面（上面１４ｗと下面１４ｘとに隣接し、ハンドル部材１０の外郭を形成する面）を樹脂で形成した。本実施の形態では、第１のカバー部材１４は、エラストマー性樹脂とマグネシウムによる二色成形により形成したが、エラストマー性樹脂の具体的な材料は限定されないし、マグネシウム部分も他の金属で形成されていてもよい。第１のカバー部材１４は、上面１４ｗ、下面１４ｘ、前面に沿うように金属部分を有する。
【００１６】
第１のカバー部材１４は、孔部１４ａ及び１４ｂ、長円型凹部１４ｃ及び１４ｄを備えている。孔部１４ａ及び１４ｂは、ネジ（不図示）を挿通可能な内径を有する。孔部１４ａ及び１４ｂは、貫通形成されている。長円型凹部１４ｃは、支持部材１２の一方の端部に形成された円柱状の突起（不図示）が係合する。長円型凹部１４ｃに係合した円柱状の突起（不図示）は、長円型凹部１４ｃの長軸方向に移動自在である。長円型凹部１４ｄは、支持部材１１の一方の端部に形成された円柱状の突起（不図示）が係合する。長円型凹部１４ｄに係合した円柱状の突起（不図示）は、長円型凹部１４ｄの長軸方向に移動自在である。
【００１７】
第１のカバー部材１４の金属部（図２においてドットハッチングを付していない部分）は、第１の嵌合部１４ｋ、第２の嵌合部１４ｍ、第３の嵌合部１４ｎを備えている。第１の嵌合部１４ｋは、第１のカバー部材１４の下面１４ｘに沿った位置に形成されている。第２の嵌合部１４ｍは、第１のカバー部材１４の上面１４ｗに沿った位置に形成されている。第３の嵌合部１４ｎは、第１のカバー部材１４の長手方向の両端近傍に形成されている。第１の嵌合部１４ｋ、第２の嵌合部１４ｍ、および第３の嵌合部１４ｎは、凹状に形成され、樹脂部（図２においてドットハッチングを付している部分）が嵌合している。
【００１８】
なお、「第１のカバー部材１４の長手方向」とは、例えば長円型凹部１４ｃと長円型凹部１４ｄとを結ぶ線分の方向であり、図２に示すＰ軸の方向である。
【００１９】
図３は、第２のカバー部材１５の凹部１５ｚ側の平面図である。第２のカバー部材１５は、樹脂と金属による二色成形により形成されている。図３において、ドットハッチングを付している部分が樹脂で形成された部分であり、ドットハッチングを付していない部分が金属で形成された部分である。第２のカバー部材１５は、ユーザーがハンドル部材１０を把持した際に、少なくともユーザーの手が接する部分を樹脂で形成している。本実施の形態では、一例として、第２のカバー部材１５の上面１５ｗ、下面１５ｘ、背面（上面１５ｗと下面１５ｘに隣接し、ハンドル部材１０の外郭を形成する面）を樹脂で形成した。本実施の形態では、第２のカバー部材１５は、エラストマー性樹脂とマグネシウムによる二色成形により形成したが、エラストマー性樹脂の具体的な材料は限定されないし、マグネシウム部分も他の金属で形成されていてもよい。第２のカバー部材１５は、上面１５ｗ、下面１５ｘ、背面に沿うように金属部分を有する。
【００２０】
第２のカバー部材１５は、ネジ穴１５ａ及び１５ｂ、長円型凹部１５ｃ及び１５ｄを備えている。ネジ穴１５ａ及び１５ｂは、ネジ（不図示）を螺合可能な雌ネジを有する。長円型凹部１５ｃは、支持部材１１の一方の端部に形成された円柱状の突起（不図示）が係合する。長円型凹部１５ｃに係合した円柱状の突起（不図示）は、長円型凹部１５ｃの長軸方向に移動自在である。すなわち、長円型凹部１４ｃと長円型凹部１５ｃとで、支持部材１２の一方の端部に形成された円柱状の突起（不図示）を、長軸方向に移動自在に挟持する。長円型凹部１５ｄは、支持部材１２の一方の端部に形成された円柱状の突起（不図示）が係合する。長円型凹部１５ｄに係合した円柱状の突起（不図示）は、長円型凹部１５ｄの長軸方向に移動自在である。すなわち、長円型凹部１４ｄと長円型凹部１５ｄとで、支持部材１２の一方の端部に形成された円柱状の突起（不図示）を、長軸方向に移動自在に挟持する。
【００２１】
第２のカバー部材１５の金属部（図３においてドットハッチングを付していない部分）は、第４の嵌合部１５ｊ、第５の嵌合部１５ｋ、第６の嵌合部１５ｔを備えている。第４の嵌合部１５ｊは、第２のカバー部材１５の下面１５ｘに沿った位置に形成されている。第５の嵌合部１５ｋは、第２のカバー部材１５の上面１５ｗに沿った位置に形成されている。第６の嵌合部１５ｔは、第２のカバー部材１５の長手方向の両端近傍に形成されている。第４の嵌合部１５ｊ、第５の嵌合部１５ｋ、および第６の嵌合部１５ｔは、凹状に形成され、樹脂部（図３においてドットハッチングを付している部分）が嵌合している。
【００２２】
なお、「第２のカバー部材１５の長手方向」とは、例えば長円型凹部１５ｃと長円型凹部１５ｄとを結ぶ線分の方向であり、図３に示すＰ軸の方向である。
【００２３】
〔３．実施の形態の効果、他〕
本実施の形態によれば、ハンドル部材１０におけるユーザーが把持しうる部分を樹脂で形成したことにより、ハンドル部材１０が使用環境温度の影響を受けにくくすることができる。これにより、ユーザーがハンドル部材１０を把持したときに、ユーザーに違和感を与えることを軽減することができる。
【００２４】
本実施の形態にかかるハンドル部材１０は、ユーザーが把持しうる部分以外の部分に金属を配したことにより、曲げ強度を向上することができる。
【００２５】
本実施の形態によれば、第１のカバー部材１４に第１の嵌合部１４ｋ、第２の嵌合部１４ｍ、第３の嵌合部１４ｎを備えたことにより、樹脂部と金属部とを強固に結合することができる。また、第２のカバー部材１５に第４の嵌合部１５ｊ、第５の嵌合部１５ｋ、第６の嵌合部１５ｔを備えたことにより、樹脂部と金属部とを強固に結合することができる。
【００２６】
（実施の形態２）
以下、実施の形態２にかかる把持装置およびそれを備えた電子機器ついて説明する。なお、実施の形態２におけるハンドル部材は、スタイラスペンを保持する構成を備えている。実施の形態２にかかるノートパソコンは、電子機器の一例である。本実施の形態では、電子機器の一例としてノートパソコンを挙げたが、少なくともユーザーが把持可能なハンドルを備え、ハンドルにスタイラスペンを収納可能な機器であればよい。電子機器は、ノートパソコンの他、例えばタブレット型パソコン等であってもよい。
【００２７】
〔１．電子機器の構成〕
図４及び図５は、第１の筐体１の平面図である。図４は、ハンドル部材１０が第１の筐体１に収納された状態を示す。図５は、ハンドル部材１０が第１の筐体１から突出した状態を示す。なお、図５は、２本のスタイラスペン２０を図示しているが、これはハンドル部材１０に対する挿入方向が２通りあることを表しているのであって、２本のスタイラスペン２０を同時にハンドル部材１０に挿入することを図示したものではない。
【００２８】
ハンドル部材１０は、図４に示すように第１の筐体１に形成されている凹部１ｃに収納された第１の位置と、図５に示すように第１の筐体１に形成されている凹部１ｃから離脱した第２の位置との間を変位可能である。ハンドル部材１０は、図５に示すように長手方向の両端部が、支持部材１１及び１２によって第１の筐体１に支持されている。支持部材１１及び１２は、一方の端部が第１の筐体１に回動自在に支持され、他方の端部がハンドル部材１０に変位可能に支持されている。なお、支持部材１１及び１２の具体構成については、例えば特開２０１０−７９８８４号公報または特開２０１０−８６５２７号公報に開示されているため、本明細書での詳しい説明は省略する。上記構成により、ハンドル部材１０は、図４に示す第１の位置から矢印Ｃに示す方向へ変位可能であるとともに、図５に示す第２の位置から矢印Ｄに示す方向へ変位可能である。
【００２９】
なお、「ハンドル部材１０の長手方向」とは、例えば図２に示す第１のカバー部材１４の長円型凹部１４ｃと長円型凹部１４ｄとを結ぶ線分の方向であり、図４に示すＰ軸の方向である。
【００３０】
ハンドル部材１０は、ペン保持部１３を備えている。ペン保持部１３は、ハンドル部材１０の長手方向に沿って形成され、スタイラスペン２０を収納可能である。ハンドル部材１０は、長手方向の両端それぞれに、スタイラスペン２０を挿通可能な開口部を備えている。スタイラスペン２０は、矢印Ｅに示すようにハンドル部材１０の一方の端部に形成された挿入口から挿入することが可能であるとともに、矢印Ｆに示すようにハンドル部材１０の他方の端部に形成された挿入口から挿入することが可能である。なお、ペン保持部１３の詳しい構成については後述する。また、スタイラスペン２０を挿通可能な開口部は、ハンドル部材１０の長手方向の一方の端部にのみ備えていてもよい。
【００３１】
ハンドル部材１０は、図４に示すように第１の位置にあるときは凹部１ｃ内に収納され、スタイラスペン２０を挿入するための挿入口が露出しないため、ペン保持部１３にスタイラスペン２０を出し入れすることができない。一方、ハンドル部材１０は、図５に示すように第２の位置にあるときは凹部１ｃから離脱し、スタイラスペン２０を挿入するための挿入口が露出するため、ペン保持部１３にスタイラスペン２０を出し入れすることができる。
【００３２】
〔２．ハンドル部材１０の構成〕
図６は、ハンドル部材１０の分解斜視図である。図６に示すように、ハンドル部材１０は、主に第１のカバー部材１４、第２のカバー部材１５、およびネジ１６で構成されている。第１のカバー部材１４は、一方の主面に凹部１４ｚが形成されている。第２のカバー部材１５は、一方の主面に凹部１５ｚが形成されている。
【００３３】
第１のカバー部材１４と第２のカバー部材１５とを接合する際は、第１のカバー部材１４の凹部１４ｚと第２のカバー部材１５の凹部１５ｚとを対向させ、第１のカバー部材１４の上面１４ｗと第２のカバー部材１５の上面１５ｗとが隣接する姿勢で、接合させる。次に、一方のネジ１６を、第１のカバー部材１４の孔部１４ａに挿通させ、第２のカバー部材１５のネジ穴１５ａに螺合させる。また、他方のネジ１６を、第１のカバー部材１４の孔部１４ｂに挿通させ、第２のカバー部材１５のネジ穴１５ｂに螺合させる。これにより、第１のカバー部材１４と第２のカバー部材１５とは，ネジ１６で螺結固定される。
【００３４】
第１のカバー部材１４と第２のカバー部材１５とが螺結固定されて形成されたハンドル部材１０は、第１のカバー部材１４の上面１４ｗ、下面１４ｘ、前面１４ｙ等と第２のカバー部材１５の上面１５ｗ、下面１５ｘ、背面１５ｙ等とが露出する。前面１４ｙは、凹部１４ｚの裏側の面である。背面１５ｙは、凹部１５ｚの裏側の面である。上面１４ｗ及び下面１４ｘは、前面１４ｙに隣接する面である。上面１５ｗ及び下面１５ｘは、背面１５ｙに隣接する面である。
【００３５】
以下、ハンドル部材１０の構成について詳しく説明する。
【００３６】
図７は、第１のカバー部材１４の凹部１４ｚ側の平面図である。第１のカバー部材１４は、樹脂と金属による二色成形により形成されている。図７において、ドットハッチングを付している部分が樹脂で形成された部分であり、ドットハッチングを付していない部分が金属で形成された部分である。第１のカバー部材１４は、ユーザーがハンドル部材１０を把持した際に、少なくともユーザーの手が接する部分を樹脂で形成している。本実施の形態では、一例として、第１のカバー部材１４の上面１４ｗ、下面１４ｘ、前面１４ｙを樹脂で形成した。本実施の形態では、第１のカバー部材１４は、エラストマー性樹脂とマグネシウムによる二色成形により形成したが、エラストマー性樹脂の具体的な材料は限定されないし、マグネシウム部分も他の金属で形成されていてもよい。第１のカバー部材１４は、上面１４ｗ、下面１４ｘ、前面１４ｙに沿うように金属部分を有する。
【００３７】
第１のカバー部材１４は、孔部１４ａ及び１４ｂ、長円型凹部１４ｃ及び１４ｄ、ペン支持部１４ｅ及び１４ｆ、ペン挿入部１４ｇ及び１４ｈを備えている。孔部１４ａ及び１４ｂは、ネジ１６（図６参照）を挿通可能な内径を有する。孔部１４ａ及び１４ｂは、第１のカバー部材１４の前面１４ｙから凹部１４ｚへ貫通している。長円型凹部１４ｃは、支持部材１２の一方の端部に形成された円柱状の突起（不図示）が係合する。長円型凹部１４ｃに係合した円柱状の突起（不図示）は、長円型凹部１４ｃの長軸方向に移動自在である。長円型凹部１４ｄは、支持部材１１の一方の端部に形成された円柱状の突起（不図示）が係合する。長円型凹部１４ｄに係合した円柱状の突起（不図示）は、長円型凹部１４ｄの長軸方向に移動自在である。ペン支持部１４ｅ及び１４ｆは、第１のカバー部材１４の長手方向の中央近傍に形成されている。ペン支持部１４ｅ及び１４ｆは、スタイラスペン２０の外周円筒面に沿って当接可能なように、半円形状の凹部が形成されている。ペン挿入部１４ｇ及び１４ｈは、それぞれ第１のカバー部材１４の長手方向の両端に形成されている。ペン挿入部１４ｇ及び１４ｈは、スタイラスペン２０の外周円筒面を可能なように、半円形状の凹部が形成されている。ペン支持部１４ｅ及び１４ｆとペン挿入部１４ｇ及び１４ｈは、その半円形部分の中心が互いに略一致している。
【００３８】
図８は、第２のカバー部材１５の凹部１５ｚ側の平面図である。図９は、第２のカバー部材１５におけるペン支持部１５ｅ及び１５ｆ近傍の部分斜視図である。第２のカバー部材１５は、樹脂と金属による二色成形により形成されている。図８において、ドットハッチングを付している部分が樹脂で形成された部分であり、ドットハッチングを付していない部分が金属で形成された部分である。第２のカバー部材１５は、ユーザーがハンドル部材１０を把持した際に、少なくともユーザーの手が接する部分を樹脂で形成している。本実施の形態では、一例として、第２のカバー部材１５の上面１５ｗ、下面１５ｘ、背面１５ｙを樹脂で形成した。本実施の形態では、第２のカバー部材１５は、エラストマー性樹脂とマグネシウムによる二色成形により形成したが、エラストマー性樹脂の具体的な材料は限定されないし、マグネシウム部分も他の金属で形成されていてもよい。第２のカバー部材１５は、上面１５ｗ、下面１５ｘ、背面１５ｙに沿うように金属部分を有する。
【００３９】
第２のカバー部材１５は、ネジ穴１５ａ及び１５ｂ、長円型凹部１５ｃ及び１５ｄ、ペン支持部１５ｅ，１５ｆ，１５ｇ，１５ｈ、ペン挿入部１５ｍ及び１５ｎを備えている。ネジ穴１５ａ及び１５ｂは、ネジ１６（図６参照）を螺合可能な雌ネジを有する。長円型凹部１５ｃは、支持部材１１の一方の端部に形成された円柱状の突起（不図示）が係合する。長円型凹部１５ｃに係合した円柱状の突起（不図示）は、長円型凹部１５ｃの長軸方向に移動自在である。すなわち、長円型凹部１４ｃと長円型凹部１５ｃとで、支持部材１２の一方の端部に形成された円柱状の突起（不図示）を、長軸方向に移動自在に挟持する。長円型凹部１５ｄは、支持部材１２の一方の端部に形成された円柱状の突起（不図示）が係合する。長円型凹部１５ｄに係合した円柱状の突起（不図示）は、長円型凹部１５ｄの長軸方向に移動自在である。すなわち、長円型凹部１４ｄと長円型凹部１５ｄとで、支持部材１２の一方の端部に形成された円柱状の突起（不図示）を、長軸方向に移動自在に挟持する。ペン支持部１５ｆ及び１５ｇは、第２のカバー部材１５の長手方向の中央近傍に形成されている。ペン支持部１５ｅは、ペン支持部１５ｆからペン挿入部１５ｎ側に離間した位置に形成されている。ペン支持部１５ｈは、ペン支持部１５ｇからペン挿入部１５ｍ側に離間した位置に形成されている。ペン支持部１５ｅ及び１５ｆは、図９に示すようにスタイラスペン２０の外周円筒面に沿って当接可能なように、半円形状の凹部が形成されている。なお、ペン支持部１５ｇ及び１５ｈは、図９に示すペン支持部１５ｅ及び１５ｆと同一形状に形成されている。ペン挿入部１５ｍ及び１５ｎは、それぞれ第２のカバー部材１５の長手方向の両端に形成されている。ペン挿入部１５ｍ及び１５ｎは、スタイラスペン２０の外周円筒面を挿通可能なように、半円形状の凹部が形成されている。ペン支持部１５ｅ〜１５ｈとペン挿入部１５ｍ及び１５ｎは、半円形状の凹部の中心が互いに略一致している。
【００４０】
第２のカバー部材１５は、移動規制部１５ｐ及び１５ｓを備えている。移動規制部１５ｐは、ペン挿入部１５ｍの端部であって、ハンドル部材１０内にスタイラスペン２０が挿入された際にスタイラスペン２０に形成されているリブ２１が当接可能である。移動規制部１５ｓは、ペン挿入部１５ｎの端部であって、ハンドル部材１０内にスタイラスペン２０が挿入された際にスタイラスペン２０に形成されているリブ２１が当接可能である。移動規制部１５ｐにリブ２１が当接したスタイラスペン２０は、矢印Ｍに示す方向への移動が規制される。移動規制部１５ｓにリブ２１が当接したスタイラスペン２０は、矢印Ｎに示す方向への移動が規制される。
【００４１】
ペン支持部１４ｅ及び１４ｆとペン支持部１５ｅ〜１５ｈは、第１のカバー部材１４と第２のカバー部材１５とを接合したときに、互いに対向及び当接しない位置に形成されている。ペン挿入部１４ｇとペン挿入部１５ｍとは、第１のカバー部材１４と第２のカバー部材１５とを接合したときに、互いに対向または当接する位置に形成されている。したがって、ペン挿入部１４ｇとペン挿入部１５ｍとは、第１のカバー部材１４と第２のカバー部材１５とを接合したときに、スタイラスペン２０を挿通可能な円筒状の貫通孔を形成する。ペン挿入部１４ｈとペン挿入部１５ｎとは、第１のカバー部材１４と第２のカバー部材１５とを接合したときに、互いに対向または当接する位置に形成されている。したがって、ペン挿入部１４ｈとペン挿入部１５ｎとは、第１のカバー部材１４と第２のカバー部材１５とを接合したときに、スタイラスペン２０を挿通可能な円筒状の貫通孔を形成する。
【００４２】
第１のカバー部材１４と第２のカバー部材１５とを接合することで、第１のカバー部材１４の凹部１４ｚの外周縁部と、第２のカバー部材１５の凹部１５ｚの外周縁部とが当接する。また、孔部１４ａの周囲の円筒状ボスと、ネジ穴１５ａの周囲の円筒状ボスとが当接する。また、孔部１４ｂの周囲の円筒状ボスと、ネジ穴１５ｂの周囲の円筒状ボスとが当接する。また、長円型凹部１４ｃと長円型凹部１５ｃとは、離間対向する。長円型凹部１４ｄと長円型凹部１５ｄとは、離間対向する。
【００４３】
孔部１４ａの周囲の円筒状ボスは第１のカバー部材１４の金属部分に形成され、ネジ穴１５ａの周囲の円筒状ボスは第２のカバー部材１５の金属部分に形成されているため、第１のカバー部材１４と第２のカバー部材１５とを接合した際に両者を当接させることで、１本の円筒を形成することができる。これにより、孔部１４ａの周囲の円筒状ボスとネジ穴１５ａの周囲の円筒状ボスとで形成される円筒が、第１のカバー部材１４と第２のカバー部材１５との間を支持する状態となり、ハンドル部材１０の曲げ強度を向上させることができる。
【００４４】
また、孔部１４ｂの周囲の円筒状ボスは第１のカバー部材１４の金属部分に形成され、ネジ穴１５ｂの周囲の円筒状ボスは第２のカバー部材１５の金属部分に形成されているため、第１のカバー部材１４と第２のカバー部材１５とを接合した際に両者を当接させることで、１本の円筒を形成することができる。これにより、孔部１４ｂの周囲の円筒状ボスとネジ穴１５ｂの周囲の円筒状ボスとで形成される円筒が、第１のカバー部材１４と第２のカバー部材１５との間を支持する状態となり、ハンドル部材１０の曲げ強度を向上することができる。
【００４５】
長円型凹部１４ｃは第１のカバー部材１４の金属部分に形成され、長円型凹部１５ｃは第２のカバー部材１５の金属部分に形成されていることにより、支持部材１１（図５参照）の保持強度を向上することができる。例えば、長円型凹部が樹脂で形成されている場合は、ハンドル部材１０に加わる振動により長円型凹部及びその近傍部分が破損してしまう可能性が高い。これに対して、長円型凹部を金属で形成することにより、ハンドル部材１０に振動が加わったとしても長円型凹部及びその近傍部分が破損してしまう可能性が低く、好ましい。なお、長円型凹部１４ｄ及び１５ｄについても上記と同様に構成され、同様の効果が得られる。
【００４６】
〔３．スタイラスペンの保持方法〕
図１０は、スタイラスペン２０を保持したハンドル部材１０の平面図である。図１１は、スタイラスペン２０を保持したハンドル部材１０の側面図である。図１１は、ハンドル部材１０を図１０における矢印Ｇに示す方向から見たときの側面図である。なお、図１０に示すハンドル部材１０は、内部構造を明確に図示するために、第２のカバー部材１５を主に描画した。また、図１０及び図１１は、スタイラスペン２０の保持状態を明確に図示するために、ペン支持部１４ｅ，１４ｆ，１５ｅ，１５ｆ，１５ｇ，１５ｈ、ペン挿入部１５ｍ，１５ｎを主に描画した。図１０に示すスタイラスペン２０は、ハンドル部材１０のペン挿入部１５ｎ側から挿入した状態を示す。
【００４７】
図１０に示すように、ハンドル部材１０は、その長手方向に沿ってペン挿入部１５ｍ側から、ペン支持部１５ｅ、ペン支持部１４ｅ、ペン支持部１５ｆ、ペン支持部１５ｇ、ペン支持部１４ｆ、ペン支持部１５ｈの順番で並んで配置されている。
【００４８】
図１１に示すように、ペン支持部１４ｅ及び１４ｆは、スタイラスペン２０の一方の円筒面を支持している。ペン支持部１５ｅ〜１５ｈは、スタイラスペン２０の他方の円筒面を支持している。スタイラスペン２０の一方の円筒面と他方の円筒面とは、表裏関係にある。したがって、ペン支持部１４ｅ，１４ｆ，１５ｅ〜１５ｈは、スタイラスペン２０の円筒面を表裏方向から支持している。
【００４９】
ペン支持部がスタイラスペン２０を保持しているとき、スタイラスペン２０とペン支持部１４ｅ，１４ｆ，１５ｅ〜１５ｈとは、当接していてもよいし、微小隙間を挟んで離間していてもよい。なお、スタイラスペン２０とペン支持部１４ｅ，１４ｆ，１５ｅ〜１５ｈとは、当接している方がスタイラスペン２０の位置を安定させることができるため好ましい。
【００５０】
ペン支持部がスタイラスペン２０を保持しているとき、スタイラスペン２０とペン挿入部１４ｇ，１４ｈ，１５ｍ，１５ｎとは、当接していてもよいし、微小隙間を挟んで離間していてもよい。なお、スタイラスペン２０とペン挿入部１４ｇ，１４ｈ，１５ｍ，１５ｎとは、微小隙間を挟んで離間している方が、スタイラスペン２０をペン挿入部１４ｇ及び１５ｍで形成される開口部またはペン挿入部１４ｈ及び１５ｎで形成される開口部に挿入しやすいため、好ましい。
【００５１】
〔４．実施の形態の効果、他〕
本実施の形態にかかるハンドル部材１０は、ユーザーが把持しうる部分を樹脂で形成したことにより、ハンドル部材１０が使用環境温度の影響を受けにくくすることができる。これにより、ユーザーがハンドル部材１０を把持したときに、ユーザーに違和感を与えることを軽減することができる。
【００５２】
本実施の形態にかかるハンドル部材１０は、ユーザーが把持しうる部分以外の部分に金属を配したことにより、曲げ強度を向上することができる。
【００５３】
本実施の形態にかかるハンドル部材１０は、樹脂材料で外郭を覆うとともに、その樹脂材料でスタイラスペン２０を保持するための構造を形成したことにより、部品点数を削減することができ、製造コストを低減させることができる。すなわち、ハンドル部材１０の外郭を覆う樹脂部品とスタイラスペンを保持するための樹脂部品とを別部品で備えるハンドル部材に比べて、本実施の形態にかかるハンドル部材１０は部品点数が少ない。
【００５４】
本実施の形態にかかるハンドル部材１０は、ペン支持部１４ｅ，１４ｆ，１５ｅ〜１５ｈを樹脂で形成したことにより、スタイラスペン２０を支持する際にペン支持部１４ｅ，１４ｆ，１５ｅ〜１５ｈを僅かに弾性変形させることができる。これにより、ペン支持部１４ｅ，１４ｆ，１５ｅ〜１５ｈに支持されたスタイラスペン２０は、ペン支持部１４ｅ，１４ｆ，１５ｅ〜１５ｈの弾性復帰力によって容易に離脱してしまうことがない。この意味からも、ペン支持部１４ｅ，１４ｆ，１５ｅ〜１５ｈに供する樹脂としては、エラストマー性、特に軟質エラストマー性を有する材質を適用することが好ましい。さらに、本実施の形態ではハンドル部材１０の外周表面を二色成形で樹脂材料を備えたが、この二色成形時に樹脂材料を射出成形等の手法で流し込み、ペン支持部１４ｅ，１４ｆ，１５ｅ〜１５ｈを構成することも可能で、この場合にはハンドル部材１０の把持性等を考慮すると、適用する樹脂材料はエラストマー性を有することが好ましい。
【００５５】
なお、本実施の形態では、図１１に示すように第１のカバー部材１４に２個のペン支持部を備え、第２のカバー部材１５に４個のペン支持部を備えた構成としたが、ペン支持部の数はこれらに限定されない。例えば、第１のカバー部材１４に４個のペン支持部を備え、第２のカバー部材１５に２個のペン支持部を備えた構成でもよい。ペン支持部は、少なくとも、一方のカバー部材に１個備え、他方のカバー部材に２個備え、他方のカバー部材に備わる２個のペン支持部の間に一方のカバー部材に備わる１個のペン支持部が配置されていれば、スタイラスペンを保持することができる。
【００５６】
また、本実施の形態では、ハンドル部材１０は、樹脂と金属の二色成形としたが、ユーザーが把持しうる部分を熱伝導性が低い材料で形成し、それ以外の部分に高い曲げ強度を有する材料を配すれば、樹脂や金属に限定されない。例えば、ハンドル部材１０におけるユーザーが把持しうる部分を熱伝導性が低い金属で形成し、それ以外の部分に高い曲げ強度を有する樹脂を配する構成とすることもできる。
【００５７】
また、本実施の形態では、ハンドル部材１０は、第１の筐体１の凹部１ｃに収納可能な構成としたが、第１の筐体１の表面に配置されていてもよい。すなわち、第１の筐体１の凹部１ｃは必須ではない。
【００５８】
また、本実施の形態では、ペン支持部１４ｅ，１４ｆ，１５ｅ〜１５ｈは、スタイラスペン２０の円筒面を支持可能なように半円形状の凹部を備えているが、少なくともスタイラスペン２０の円筒面を支持可能であれば、凹部の形状は半円形状に限らない。例えば、矩形の凹部であってもよい。
【００５９】
また、本実施の形態では、ペン支持部１４ｅ，１４ｆ，１５ｅ〜１５ｈは、スタイラスペン２０の外周に周接支持するため、ペン挿入部１５ｍまたは１５ｎを介して挿入・脱着する際に、スタイラスペン２０を係止する係止力が、ハンドル部材１０の長手方向に加わる。この係止力により、ペン支持部１４ｅ，１４ｆ，１５ｅ〜１５ｈの凹部１４ｚまたは１５ｚに対する位置ずれや損傷等が抑制するため、スタイラスペン２０の係合を抑制しない範囲で、例えばマグネシウム等の金属の突出部の周囲をエラストマー性樹脂で覆う採用することができる。
【００６０】
また、本実施の形態では、ハンドル部材１０は、第１の筐体１に備えたが、第２の筐体２に備えてもよい。また、ハンドル部材１０は、第１の筐体１の前面１ｂに備えたが、それ以外の面に備えてもよい。
【００６１】
また、ノートパソコンは、電子機器の一例である。第１の筐体１は、電子機器の筐体の一例である。ハンドル部材１０は、把持装置の一例である。第１のカバー部材１４及び第２のカバー部材１５は、筐体の一例である。ハンドル部材１０において樹脂で形成されユーザーが把持しうる部分は、把持部の一例である。ハンドル部材１０において金属で形成された部分は、フレーム部の一例である。スタイラスペン２０は、棒状の筆記部材の一例である。ペン支持部１４ｅ、１４ｆは、第１の支持部の一例である。ペン支持部１５ｅ〜１５ｈは、第２の支持部の一例である。
【産業上の利用可能性】
【００６２】
本願の開示は、把持装置、およびそれを備えた電子機器に有用である。
【符号の説明】
【００６３】
１０  ハンドル部材
１４  第１のカバー部材
１４ａ、１４ｂ  孔部
１４ｃ、１４ｄ  長円型凹部
１４ｅ、１４ｆ  ペン支持部
１４ｇ、１４ｈ  ペン挿入部
１５  第２のカバー部材
１５ａ、１５ｂ、ネジ穴
１５ｃ、１５ｄ  長円型凹部
１５ｅ，１５ｆ，１５ｇ，１５ｈ  ペン支持部
１５ｍ、１５ｍ  ペン挿入部
【図１】
2012226661.tif 000003
【図２】
2012226661.tif 000004
【図３】
2012226661.tif 000005
【図４】
2012226661.tif 000006
【図５】
2012226661.tif 000007
【図６】
2012226661.tif 000008
【図７】
2012226661.tif 000009
【図８】
2012226661.tif 000010
【図９】
2012226661.tif 000011
【図１０】
2012226661.tif 000012
【図１１】
2012226661.tif 000013